(57)【要約】【課題】主として電動工具用のプラスチック製収納ケースであって、本体蓋部に小物類を収容するための補助収納スペースが設けられた二段収納構造の収納ケースにおいて、従来補助収納スペースを閉じる補助蓋部が回動先端部を弾性係合させて閉じ状態を保持する構成であったので、取っ手を取り出す際等に誤って手が触れて不用意に開かれてしまうことがあった。本発明では、取っ手把持時に補助蓋部が不用意に開かれないようにする。【解決手段】補助蓋部４１をパッチン錠と称される補助ロック錠５０で閉じ状態にロックする構成とし、この補助ロック錠５０の操作レバー５１の解錠方向を、取っ手１６の取り出し方向とは逆の下向きにする。【選択図】図１
2011131357.tif 000002
【特許請求の範囲】
【請求項１】
ケース本体とこれを開閉する本体蓋部と該本体蓋部の閉じ状態をロックするための本体ロック錠を備えた収納ケースであって、
前記ケース本体の側部に持ち運び用の取っ手を備えており、該取っ手は前記ケース本体の側部に沿った収納位置と該収納位置から上方へ回動させて前記側部から突き出した使用位置との間を回動可能に設けられており、
前記本体蓋部は、物品を収納するためのスペースと該収納スペースを開閉する補助蓋部と該補助蓋部の閉じ状態をロックする補助ロック錠を備えており、
該補助ロック錠は、前記補助蓋部に解錠位置と施錠位置との間を回動操作可能に設けた操作レバーと、該操作レバーに回動支軸をずらせて回動可能に設けた係合レバーを備え、該係合レバーを前記操作レバーの施錠位置側への回動操作により前記本体蓋部に設けたロック爪部に引き掛けて該補助蓋部の前記本体蓋部に対する閉じ状態をロックする構成とされ、
前記ケース本体を下側で、前記本体蓋部を上側にして該本体蓋部を上方へ移動させて開き、下方へ移動させて閉じることとなる横置き姿勢で当該収納ケースを設置した状態で、前記取っ手の上側に前記補助ロック錠が位置し、その操作レバーの解錠位置側への回動操作方向が前記取っ手の使用位置側への回動操作方向とは逆方向に設定された収納ケース。
【請求項２】
請求項１記載の収納ケースであって、当該収納ケースの横置き姿勢の状態で、前記補助ロック錠の操作レバーを解錠操作すると、前記係合レバーが前記ロック爪部の下方から退避し、該退避状態で前記補助蓋部を上方へ開放可能な構成とした収納ケース。
【請求項３】
請求項２記載の収納ケースであって、前記本体蓋部は前記ケース本体に対して背面側でヒンジ結合されて上下に開閉可能であり、当該収納ケースの横置き姿勢の状態かつ前記補助ロック錠の解錠状態で、前記本体蓋部を上方へ回動させて開放し、若しくは当該収納ケースを前記横置き姿勢から起立させると、前記補助ロック錠の係合レバーが前記操作レバーに対して相対的に回動して前記ロック爪部に係合される構成とした収納ケース。
【請求項４】
請求項１〜３のいずれか１項に記載した収納ケースであって、前記補助蓋部は前記本体蓋部に対して背面側でヒンジ結合されて上下に開閉可能であり、当該収納ケースの横置き姿勢の状態で、前記補助蓋部を下方へ回動させて閉じる過程において前記補助ロック錠の係合レバー若しくはロック爪部のいずれか一方又は双方に、当該係合レバーを前記ロック爪部から遠ざける方向に案内して当該係合レバーの前記ロック爪部に対する上方からの衝突を回避する案内面を設けた収納ケース。
【発明の詳細な説明】
【技術分野】
【０００１】
この発明は、例えばねじ締め用の電動工具やねじ締めビット等の小物類等の様々な物品を収納するための収納ケースに関する。
【背景技術】
【０００２】
従来、この種の収納ケースとして、下記の非特許文献１に開示されているような二段収納構造のものが提供されている。この二段収納構造の収納ケースは、工具本体を収容するケース本体とこれを開閉する本体蓋部を備え、さらに本体蓋部の外側にはねじ締めビットやねじ類等の小物類を収容するスペースを別途備えており、本体蓋部の小物類収容スペースは、専用の蓋（小物類用の蓋、以下小蓋という。）で開閉されるようになっている。このような二段収納構造の収納ケースによれば、工具本体やバッテリパック等に加えて小物類も一緒に持ち運ぶことができるので、作業の効率化を図ることができる。
また、一般にこの種の収納ケースはプラスチック製（プラケース）であることから、小蓋は、その全体を撓ませる等して開閉先端側に設けた係合部を本体蓋部側に係脱させることにより開け閉めする構成となっていた。このため、小蓋はその先端係合部を本体蓋部側に押し込むことにより簡単に閉じることができ、逆に先端係合部を本体蓋部から引き離なす方向に押せばその係合を解除して簡単に開けることができた。
【先行技術文献】
【特許文献】
【０００３】
【特許文献１】特開２００４−１７４６５５号公報
【特許文献２】特開２００５−２８４６３号公報
【非特許文献】
【０００４】
【非特許文献１】意匠登録第１２６８２２１号公報
【発明の概要】
【発明が解決しようとする課題】
【０００５】
しかしながら、上記非特許文献１に記載された二段収納構造の収納ケースについては、次のような問題があった。一般に、この種の収納ケースには持ち運び用の取っ手が設けられている。この取っ手は、本体ケースの正面（持ち運び時は上面）の中央に設けられている。従来この取っ手のすぐ横に小蓋の先端係合部が位置することとなっていた。
しかも、多くの場合この取っ手は、ケース本体が下側で本体蓋部が上側となる姿勢（横置き姿勢）で当該収納ケースを作業台や床上等に設置すると、下側へ回動して収納される構成となっている。このため、取っ手を把持しようとして上方へ回動（起立）させる際に、指先が誤って小蓋の先端係合部に当たってしまい、その結果当該先端係合部に開き方向の力が加わって当該小蓋が不用意に開放されてしまうことがあった。
そこで、本発明は、二段収納構造の収納ケースにおいて、例えば取っ手を把持する際等に小蓋が誤って開放されてしまうことがないようにすることを目的とする。
【課題を解決するための手段】
【０００６】
このため、本発明は、特許請求の範囲の各請求項に記載した構成の収納ケースとした。
請求項１記載の収納ケースによれば、その横置き姿勢（横に寝かせた姿勢）では、取っ手の上側に補助蓋部の補助ロック錠が位置する状態となる。補助ロック錠には、いわゆるパッチン錠が用いられている。当該収納ケースの横置き姿勢では、取っ手はその収納位置から上方へ回動させてその使用位置に取り出すことができる。また、この横置き姿勢では、操作レバーを下向きに回動操作すると補助ロック錠を解錠でき、上向きに回動操作すると補助ロック錠を施錠することができる。
このことから、使用者が収納位置の取っ手に手を掛けて上方の使用位置側に回動操作（具体的には持ち上げる操作）をする際に、手が当該補助蓋部の先端部あるいは補助ロック錠の操作レバーに触れてもその下側から上側へ向けて押す方向であって当該操作レバーの解錠操作方向とは逆であることから、当該操作レバーが誤って解錠操作されることはなく、従って補助蓋部が不用意に開放操作されてしまうことはない。
請求項２記載の収納ケースによれば、その横置き姿勢において補助ロック錠の操作レバーを解錠位置側（下向き）に回動操作すると当該補助ロック錠を解錠することができる。また、操作レバーを解錠操作すると、係合レバーがロック爪部から外れるとともに、この係合レバーが操作レバーに対してその自重（重力作用）によりぶら下がった状態で相対回転し、これによりロック爪部から離れる方向に変位する。
このように操作レバーを解錠操作すると、係合レバーがロック爪部から外れた後、さらにロック爪部から十分な距離だけ離れる方向に変位する。この際の変位量は、そのまま補助蓋部を上方へ回動させて開く過程において、当該係合レバーのロック爪部に対する干渉を回避し得る距離として設定される。
このことから、当該収納ケースの横置き姿勢において、補助蓋部を開ける場合には、補助ロック錠の操作レバーを解錠操作さえすればそのまま補助蓋部を上方へ開放することができるのであり、補助蓋部開放途中で係合レバーがロック爪部に引っ掛かってしまわないように例えば別途指先で係合レバーの位置を規制するといった手間を掛ける必要がないので、当該収納ケースの使い勝手を高めることができる。
【０００７】
請求項３記載の収納ケースによれば、その横置き姿勢で補助ロック錠の操作レバーが解錠操作された状態で、本体蓋部を上方へ開放しようとし、あるいは当該収納ケースを横置き姿勢から起立させようとすると、補助ロック錠の係合レバーが操作レバーに対して重力作用によりぶら下がった状態で上記とは逆方向に回転してロック爪部の下側（操作レバーを施錠位置側へ回動操作すればロック爪部に係合されることとなる位置）に移動する。このため、補助ロック錠が解錠されたままであることを忘れて、本体蓋部を開けても、あるいは収納ケースを起立さても補助蓋部が不用意に開放されてしまうことがなく、この点でも当該収納ケースの使い勝手を高めることができる。
請求項４記載の収納ケースによれば、その横置き姿勢において、開放した補助蓋部を閉じる過程で、係合レバーがロック爪部に上側から衝突して突き当てられた状態となり、その結果当該補助蓋部を完全に閉じることができなくなってしまう状態を回避することができ、この点で当該収納ケースの使い勝手を高めることができる。補助蓋部を閉じる過程において、操作レバーに重力作用によりぶら下がった状態の係合レバーがロック爪部に上側から衝突すると（突き当てられると）、補助蓋部のそれ以上の閉じ方向への回動が規制される。補助蓋部は、係合レバーの先端部がロック爪部を通過してその下側に変位すると、本体蓋部の収納スペースを完全に閉じることができる。
請求項４記載の収納ケースによれば、係合レバー若しくはロック爪部の一方又は双方に設けた案内面によって、補助蓋部を閉じる過程において係合レバーがロック爪部に干渉すると当該係合レバーがロック爪部から遠ざかる方向に案内されてその衝突が回避されて補助蓋部を完全に閉じることができる。
【図面の簡単な説明】
【０００８】
【図１】本実施形態の収納ケースの全体斜視図である。本図では、取っ手が使用位置に取り出され、本体ロック錠及び補助ロック錠が施錠された状態で示されている。本図は、収納ケースの横置き姿勢を示している。
【図２】本実施形態の収納ケースの全体斜視図である。本図では、取っ手が収納位置に収納され、本体ロック錠及び補助ロック錠が解錠された状態で示されている。本図は、収納ケースの横置き姿勢を示している。
【図３】図２の(III)-(III)線断面矢視図であって、解錠状態の補助ロック錠の縦断面図である。本図は、収納ケースの横置き姿勢を示している。
【図４】図１の(IV)-(IV)線断面矢視図であって、施錠状態の補助ロック錠の縦断面図である。本図は、収納ケースの横置き姿勢を示している。
【図５】本実施形態の収納ケースの全体斜視図である。本図では、補助蓋部が閉じられる途中の段階であって、補助ロック錠の操作レバーが施錠位置に戻された状態である結果係合レバーの先端部がロック爪部の上部に当接した状態が示されている。また、本図では、取っ手が収納位置に収納され、左右の本体ロック錠が解錠された状態が示されている。
【図６】本実施形態の収納ケースの全体斜視図である。本図では、補助ロック錠を解錠状態のまま本体蓋部を開放した結果、補助ロック錠の係合レバーがロック爪部に引っ掛かって補助蓋部がほぼ閉じ状態に保持された状態が示されている。なお、本図では、ケース本体内が簡略化して示されており、収容した物品をがたつきなく保持する区画壁等の図示が省略されている。本図は、収納ケースの横置き姿勢を示している。
【図７】図１の(VII)-(VII)線断面矢視図であって、施錠状態の本体ロック錠の縦断面図である。本図は、収納ケースの横置き姿勢を示している。
【発明を実施するための形態】
【０００９】
次に、本発明の実施形態を図１〜図７に基づいて説明する。図１は、本実施形態に係る収納ケース１の全体を示している。
この収納ケース１は、一般にプラケースと称されるもので、例えば充電式インパクトドライバ等の電動工具本体やバッテリパック及びその充電器等に加えて小ねじ類等の小物も収容して一度に持ち運びできる二段収納構造を有している。この収納ケース１は、プラスチック製のケース本体１０とこれを開閉する同じくプラスチック製の本体蓋部２０を備えている。
ケース本体１０は、正面部１１、左右側部１２，１３、背面部１４と底板部１５を有する矩形で上方開放の箱体形状を有しており、電動工具本体やバッテリパック等の比較的大型の物品を収納できる容積を有している。このケース本体１０の内部は、収容した電動工具本体等の物品ががたつきなく保持されるように区画壁等により区画されている。
本体蓋部２０は、正面部２１、左右側部２２，２３、背面部２４と天板部２５を有している。図３，４，７に示すようにケース本体１０の背面部１４と本体蓋部２０の背面部２４とがヒンジ部２を介して結合されて、本体蓋部２０はその正面部２１側を上下に変位させる方向に回動させて開閉される。図６には、本体蓋部２０が開かれた状態が示されている。
図３，４，７に示すようにケース本体１０の底板部１５を作業台Ｄ上に接地させて当該ケース本体１０が下側で本体蓋部２０が上側となる当該収納ケース１の設置姿勢を、この明細書では横置き姿勢という。これに対して、ケース本体１０の背面部１４と本体蓋部２０の背面部２４を作業台上に接地させて当該収納ケース１を起立させた設置姿勢を縦置き姿勢という。図６に示すように本体蓋部２０の開閉は、横置き姿勢で行われる。持ち運びは縦置き姿勢で行われる。
【００１０】
ケース本体１０の正面部１１の左右方向中央には、持ち運び用の取っ手１６が設けられている。この取っ手１６はコ字形を有するもので、その左右両側部を介して上下に約９０°の範囲で回動可能に支持されている。図１，４に示すように取っ手１６は上側（白抜き矢印(A)方向）へ回動させて正面部１１からほぼ水平に張り出す使用位置に取り出すことができる。逆に、図２，３に示すように取っ手１６は下側に回動させて正面部１１に沿った収納位置に収納することができる。取っ手１６は、使用者が回動させることにより、収納位置に収納することができ、逆に使用位置に取り出すことができる。また、当該収納ケース１を横置き姿勢に設置すれば、取っ手１６はその自重によって収納位置に収納される。従って、収納位置に収納された取っ手１６は使用者が白抜き矢印(A)方向に持ち上げることによってその使用位置に取り出すことができる。
ケース本体１０の正面部１１の左右両側には、一対の本体ロック錠３０，３０が設けられている。本体ロック錠３０，３０は、いわゆるパッチン錠と称されるもので、それぞれ操作レバー３１と係合レバー３２を備えている。操作レバー３１は、ケース本体１０の正面部１１に上下に回動可能に支持されている。係合レバー３２は、操作レバー３１に回転軸線をずらせて上下に回動可能に支持されている。図７に示すように操作レバー３１は、その支軸部３１ａを介してケース本体１０の正面部１１に上下に回動可能に支持されている。係合レバー３２は、その支軸部３２ａを介して操作レバー３１に回動可能に支持されている。係合レバー３２の支軸部３２ａは、操作レバー３１の支軸部３１ａに対して回動先端側にずれている。
左右の本体ロック錠３０，３０は、それぞれその係合レバー３２の先端部を本体蓋部２０の正面部２１に設けたロック爪部２１ａに引き掛けて操作レバー３１を下側へ回動させると施錠される。本体ロック錠３０，３０を施錠することによってケース本体１０に対する本体蓋部２０の閉じ状態がロックされる。図１，７は、左右の本体ロック錠３０，３０が施錠された状態を示している。逆に、左右の本体ロック錠３０，３０は、それぞれ操作レバー３１を上側へ回動操作して係合レバー３２のロック爪部２１ａに対する引っ掛かりを解除すれば解錠される。図２，５は、本体ロック錠３０，３０の解錠状態を示している。左右の本体ロック錠３０，３０を解錠することによって本体蓋部２０を図６に示すように上方へ開放することができる。以上説明した取っ手１６及び左右の本体ロック錠３０，３０については、従来構成と同様であり、本実施形態において特に変更を要しない。
【００１１】
本実施形態の収納ケース１は、二段収納構造を有するもので、本体ケース１０の収納スペースに加えて、本体蓋部２０の天板部２５には例えば小ねじ類等の小物類を収容するための補助収納スペース４０とこれを開閉するプラスチック製の補助蓋部４１が設けられている。この補助蓋部４１は矩形平板形状を有するもので、その背面側の後端縁に設けたヒンジ部４１ａを介して本体蓋部２０の天板部２５に上下に開閉可能に支持されている。この補助蓋部４１が従来の小蓋に相当する。
補助蓋部４１の正面部２１の左右方向中央には、当該補助蓋部４１の閉じ状態をロックするための一つの補助ロック錠５０が、前記従来の先端係合部に代わって設けられている。この補助ロック錠５０は、前記本体ロック錠３０と同じくいわゆるパッチン錠と称されるもので、操作レバー５１と係合レバー５２を備えている。操作レバー５１は、支軸部５１ａを介して補助蓋部４１の正面部２１の左右方向中央に上下に回動可能に支持されている。図２，３に示すように正面部２１からほぼ水平に張り出す位置が当該操作レバー５１の解錠位置であり、図１，４，５に示すように解錠位置から上側へ回動操作して正面部２１にほぼ沿った位置が当該操作レバー５１の施錠位置となっている。
係合レバー５２はその支軸部５２ａを介して操作レバー５１に回動可能に支持されている。係合レバー５２の支軸部５２ａは、操作レバー５１の支軸部５１ａに対して回動先端側にずれている。このため、操作レバー５１の回動操作によって係合レバー５２及びその支軸部５２ａが上下に大きく変位する。
【００１２】
係合レバー５２の回動先端部には、係合爪部５２ｂが設けられている。この係合爪部５２ｂに対応して、本体蓋部２０の正面部２１の左右方向中央には、ロック爪部５３が設けられている。図１，４に示すようにこのロック爪部５３に対して係合爪部５２ｂを下側から係合させた状態で操作レバー５１を上側の施錠位置に回動操作すると、係合レバー５２がロック爪部５３に引き掛けられて補助蓋部４１による補助収納スペース４０の閉じ状態がロックされる。これに対して、図２，３に示すように操作レバー５１を下側の解錠位置に回動操作（図１，４中の白抜き矢印(B)方向に回動操作）すると係合レバー５２も下側に変位してその係合爪部５２ｂがロック爪部５３から外れて、当該補助ロック錠５０が解錠される。
図３に示すように操作レバー５１が解錠位置に回動操作されると、支軸部５２ａが正面側へ変位する結果、係合レバー５２の全体が正面側へ変位する。しかも、係合レバー５２は、その自重によって操作レバー５１から真っ直ぐ下方へぶら下がった状態となるため、その係合爪部５２ｂはロック爪部５３から正面側へ退避する。このため、この解錠状態のまま補助蓋部４１を上方へ回動させて開けても、係合レバー５２の係合爪部５２ｂはロック爪部５３の正面側を通過して干渉しないようになっている。
このように、補助収納スペース４１を開放する際には、操作レバー５１を下側（白抜き矢印(B)方向）の解錠位置に回動操作さえすれば、係合レバー５２がロック爪部５３から十分な距離だけ確実に退避するため、そのまま補助蓋部４１を上方へ回動して開けても当該係合レバー５２がロック爪部５３に干渉することなくその正面側を上方へ通過する。従って、使用者は、補助蓋部４１を開ける際に、当該補助蓋部４１を上方へ回動させる操作に加えて係合レバー５２の係合爪部５２ｂがロック爪部５３に干渉しないよう当該係合レバー５２を位置保持する手間を掛ける必要がないので、当該補助蓋部４１を片手で簡単かつ迅速に開けることができる。
逆に、図３に示す解錠状態から操作レバー５１を上側の施錠位置に回動操作すると、係合レバー５２が支軸部５２ａを介して操作レバー５１から真っ直ぐにぶら下がった状態のまま背面側斜め上方（図３において右斜め上方）へ向かって変位し、その後当該係合レバー５２の係合爪部５２ｂが図４に示すようにロック爪部５３に対して下方から係合されて当該補助ロック錠５０が施錠される。
【００１３】
次に、補助ロック錠５０の操作レバー５１が下側の解錠位置に回動操作されて当該補助ロック錠５０が解錠状態のまま、本体蓋部２０を上方へ開けると、補助ロック錠５０の係合レバー５２がその自重によって相対的に操作レバー５１に対して回動し、これにより当該係合レバー５２の係合爪部５２ｂがロック爪部５３の下側に変位する。このため、補助ロック錠５０を解錠したまま本体蓋部２０を上方へ回動させて開けても、補助ロック錠５０の係合レバー５２がロック爪部５３に引っ掛かって補助蓋部４１が不用意に開放されてしまうことが防止される。
また、ケース本体１０に対する本体蓋部２０の閉じ状態を本体ロック錠３０，３０でロックした状態で、かつ補助ロック錠５０の操作レバー５１が下側の解錠位置に回動操作されて当該補助ロック錠５０が解錠状態のまま、当該収納ケース１を横置き姿勢から縦置き姿勢に起立させた場合も上記と同様、補助ロック錠５０の係合レバー５２がその自重により操作レバー５１に対して相対回転してロック爪部５３の下側に変位するため、補助蓋部４１の不用意な開放が防止される。
このように、補助蓋部４１は、使用者の意図的な開放操作によってのみ開くことができ、補助ロック錠５０を解錠状態のまま本体蓋部２０を開けた場合、あるいは収納ケース１を起立させた場合であっても不用意に開かれてしまうことが防止されて補助収容スペース４０に収容した主として小物類等の散乱が未然に防止されるようになっている。
【００１４】
また、図３，５に示すように補助ロック錠５０のロック爪部５３には、案内面５３ａが設けられている。この案内面５３ａは、ロック爪部５３の正面側上角部に設けられている。この案内面５３ａは、正面側へ下る方向に傾斜している。この案内面５３ａによれば、補助蓋部４１を確実に閉じることができる。
例えば、図５に示すようにケース本体１０に対して本体蓋部２０を閉じた横置き姿勢で補助蓋部４１を閉じる際に、下方へ変位する係合レバー５２の先端部（係合爪部５２ｂ）がロック爪部５３に対して上側から衝突（当接）しても、この案内面５３ａによって係合レバー５２の先端部が当該ロック爪部５３から離される方向に案内されるため、当該係合レバー５２の先端部は図３に示すようにロック爪部５３の下側へ確実に戻される。
特に、図５に示すように補助蓋部４１を開けた状態で、補助ロック錠５０の操作レバー５１が誤って施錠位置に戻されると、係合レバー５２が本体蓋部２０の正面部２１により接近した状態となることから、この場合にそのまま当該補助蓋部４１を閉じると、係合レバー５２がよりロック爪部５３に当接しやすくなる。しかしながら、本実施形態におけるロック爪部５３の上部には案内面５３ａが設けられて、係合レバー５２の先端部がロック爪部５３から遠ざかる方向に案内されてそのロック爪部５３に対する衝突が回避されるようになっているので、補助蓋部４１を確実に閉じ切ることができる。仮に、係合レバー５２がロック爪部５３の上部に衝突して突き当てられた状態になると補助蓋部４１のそれ以上の閉じ動作ができなくなるため、使用者がわざわざ係合レバー５２をロック爪部５３から外す手間を掛ける必要があり、この点で当該収納ケース１の使い勝手が損なわれてしまう。この点本実施形態の補助ロック錠５０では上記の手間を掛けることなく補助蓋部４１を確実に閉じることができるので、収納ケース１の使い勝手を高めることができる。
【００１５】
以上のように構成した本実施形態の収納ケース１によれば、左右の本体ロック錠３０，３０によってケース本体１０に対する本体蓋部２０の閉じ状態がロックされる。本体ロック錠３０，３０はケース本体１０側に設けられており、それぞれ操作レバー３１を上側へ起立させるように回動操作することにより係合レバー３２のロック爪部２１ａに対する係合を解除して本体蓋部２０を上方へ開けることができる。これに対して、補助ロック錠５０は補助蓋部４１側に設けられており、その操作レバー５１を下側に向けて回動操作することにより係合レバー５２のロック爪部５３に対する係合を解除して補助蓋部４１を上方へ開けることができる。
一方、ケース本体１０に設けられた取っ手１６は、その自重によって図２に示す収納位置に収納される。使用者が横置き姿勢に設置した当該収納ケース１を持ち運ぼうとする場合には、使用者は先ず取っ手１６を図２に示す収納位置から図１に示す白抜き矢印(A)方向の使用位置に取り出す操作を行う。この場合に、取っ手１６を把持した使用者の手が当該取っ手１６を下側の収納位置から上側の使用位置に回動させるため同じく白抜き矢印(A)方向（上方）へ変位する。このため、従来であれば、上方へ変位する使用者の手が小蓋（補助蓋部）の先端係合部に触れる等して当該小蓋が不用意に開いてしまう場合があったが、本実施形態によれば補助蓋部４１は補助ロック錠５０を解錠することにより開けられ、補助ロック錠５０はその操作レバー５１を使用者の手の移動方向（白抜き矢印(A)方向）とは逆方向（白抜き矢印(B)方向）となる下側に向けて回動操作することにより解錠される構成となっている。このことから、本実施形態の補助ロック錠５０によれば、使用者が取っ手１６をその使用位置に取り出す際に不用意に解錠されてしまうことがなく、これにより補助蓋部４１が不用意に開けられてしまうことを防止することができる。
【００１６】
また、補助ロック錠５０において、操作レバー５１を解錠すると、係合レバー５２が操作レバー５１にぶら下がった状態でロック爪部５３から十分な距離だけ離間した状態となるよう、主としてその支軸部５２ａの操作レバー５１の支軸部５１ａに対する位置（軸間距離）が適切に設定されている。このため、使用者は操作レバー５１を下向きに回動操作して当該補助ロック錠５０を解錠すれば、係合レバー５２のロック爪部５３に対する干渉を気にすることなく、若しくは係合レバー５２の係合爪部５２ｂがロック爪部５３に引っ掛かってしまわないように例えば指先で当該係合レバー５２の位置を規制するといった手間を掛けることなく、補助蓋部４１を簡単に開けることができ、この点で当該収納ケース１の使い勝手を高めることができる。
さらに、収納ケース１の横置き姿勢で補助ロック錠５０の操作レバー５１が解錠操作された状態のままで本体蓋部２０を上方へ開放しようとし、あるいは補助ロック錠５０の操作レバー５１が解錠操作された状態のままで当該収納ケース１を横置き姿勢から起立させようとすると、補助ロック錠５０の係合レバー５２が操作レバー５１に対して重力作用によりぶら下がった状態でロック爪部５３に接近する方向に回動し、その後係合レバー５２の係合爪部５２ｂがロック爪部５３に引っ掛かって係合される。このため、補助ロック錠５０が解錠されたままであることを忘れて、本体蓋部２０を開けても、あるいは収納ケース１を起立さても補助蓋部４１が不用意に開放されてしまうことがなく、この点でも当該収納ケース１の使い勝手を高めることができる。
また、本実施形態の補助ロック錠５０によれば、収納ケース１の横置き姿勢で補助蓋部４１を閉じる過程において係合レバー５２がロック爪部５３の案内面５３ａに当接すると、当該係合レバー５２がロック爪部５３から遠ざかる方向に案内されてその衝突が回避されるため補助蓋部４１を完全に閉じることができる。
仮に、案内面５３ａを設けない場合には、補助蓋部４１を閉じる過程で、補助ロック錠５０の係合レバー５２がロック爪部５３に上側から衝突して突き当てられた状態にロックされてしまうおそれがあり、この場合には補助蓋部４１を完全に閉じることができなくなり、その結果当該補助ロック錠５０を施錠することができなくなる。このため、使用者は、補助蓋部４１の閉じ操作に加えて、係合レバー５２を指先で移動させる等してロック爪部５３の上面に突き当てられた状態を解消する手間を掛ける必要があり、この点で当該収納ケース１の使い勝手が損なわれてしまうが、案内面５３ａを設けることによりこのような手間を掛けることなく上記ロック状態を回避することができるので当該収納ケース１の使い勝手を高めることができる。
【００１７】
以上説明した実施形態には、種々変更を加えることができる。例えば、ロック爪部５３に案内面５３ａを設けた構成を例示したが、係合レバー５２側に案内面（傾斜面）を設けてそのロック爪部５３の上面に対する衝突（突き当て状態にロックされること）を回避する構成としてもよい。また、係合レバー５２側とロック爪部５３側の双方に衝突回避用の案内面を設ける構成としてもよい。
また、補助蓋部４１の閉じ状態を一つの補助ロック錠５０でロックする構成を例示したが、２つ以上の補助ロック錠５０〜５０を用いる構成としてもよい。
さらに、本体ロック錠３０，３０の操作レバー３１，３１の解錠方向を上向きとする構成を例示したが、補助ロック錠５０と同じく下向きにしてもよい。この場合には、操作レバー３１，３１を本体蓋部２０の正面部２１に支持し、ケース本体１０の正面部１１にロック爪部２１ａを設ける構成とすればよい。
【符号の説明】
【００１８】
１…収納ケース
Ｄ…作業台
２…ヒンジ部
１０…ケース本体
１１…正面部
１２…左側面部
１３…右側面部
１４…背面部、１５…底面部
１６…取っ手
２０…本体蓋部
２１…正面部、２１ａ…ロック爪部
２２…左側面部、２３…右側面部
２４…背面部、２５…天板部
３０…本体ロック錠
３１…操作レバー、３１ａ…支軸部
３２…係合レバー、３２ａ…支軸部
４０…補助収納部
４１…補助蓋部、４１ａ…ヒンジ部
５０…補助ロック錠
５１…操作レバー、５１ａ…支軸部
５２…係合レバー、５２ａ…支軸部、５２ｂ…係合爪部
５３…ロック爪部、５３ａ…案内面
【図１】
2011131357.tif 000003
【図２】
2011131357.tif 000004
【図３】
2011131357.tif 000005
【図４】
2011131357.tif 000006
【図５】
2011131357.tif 000007
【図６】
2011131357.tif 000008
【図７】
2011131357.tif 000009